(57)【特許請求の範囲】
【請求項１】
ディジタル放送を受信して、番組及びコマーシャルのビデオ・オーディオデータを出力する放送受信装置であって、
ユーザの個人情報を管理するユーザ情報管理部と、
前記コマーシャルが前記番組のスポンサーに関連するか否かを判定する番組情報監視部と、
前記番組情報監視部により前記コマーシャルが前記番組のスポンサーに関連しないと判定された場合には、前記コマーシャルとは異なるコマーシャルを前記ユーザの個人情報にもとづいて選択し、
前記番組と選択されたコマーシャルのビデオ・オーディオデータを出力する制御部と、
を有することを特徴とする放送受信装置。
【請求項２】
前記番組情報監視部により前記番組のスポンサーに関連しないと判定されたコマーシャルは、前記番組と異なる番組との間に放映されるコマーシャルであることを特徴とする請求項１に記載の放送受信装置。
【請求項３】
ディジタル放送を受信して、番組及びコマーシャルのビデオ・オーディオデータを出力する放送受信装置の制御方法であって、
ユーザの個人情報を管理するステップと、
前記コマーシャルが前記番組のスポンサーに関連するか否かを判定するステップと、
前記コマーシャルが前記番組のスポンサーに関連しない場合に、前記コマーシャルとは異なるコマーシャルを前記ユーザの個人情報にもとづいて選択し、前記番組と選択されたコマーシャルのビデオ・オーディオデータを出力するステップと、
を有することを特徴とする放送受信装置の制御方法。
【発明の詳細な説明】
【０００１】
【発明の属する技術分野】
本発明は、放送受信装置及びその制御方法に関し、特にディジタルＴＶ放送の受信装置に関するものである。
【０００２】
【従来の技術】
昨今、従来のアナログＴＶ放送から、ディジタルＴＶ放送への移行が各国の機関によって検討されている。ディジタル放送では、ビデオ信号やオーディオ信号をディジタイズしたのち、ＭＰＥＧ−２（Ｍｏｖｉｎｇ  Ｐｉｃｔｕｒｅ  Ｅｘｐｅｒｔｓ  Ｇｒｏｕｐ）などの方式で圧縮するため、１チャンネルのデータ量を削減することができ、結果的により多くのチャンネル・番組を閲覧することが可能になる。
【０００３】
図４に従来例の放送受信装置の構成を示す。４０１は放送波（あるいは放送手段）であり、地上波や衛星などが使用される。
【０００４】
４０２は受信機であり放送波を受信する。４０３は復調器であり、閲覧すべきチャンネルのデータのみを選択し復調する。４０４はデマルチプレクサであり、復調器によって復調されたＭＰＥＧ−２ストリームの中からビデオストリームおよびオーディオストリームを弁別する。
【０００５】
４０５はビデオデコーダであり、ビデオストリームを復号処理する。一方４０７はオーディオデコーダであり、オーディオストリームを復号処理する。
【０００６】
４０６はモニタであり、復号されたビデオを表示する。４０８はスピーカなどのオーディオ再生装置でありオーディオを再生する。
【０００７】
また、４０９はチャンネル選択装置であり、ユーザが視聴したいチャンネルを選択する装置である。
【０００８】
図５に、一般的なＴＶ放送プログラムの例を示す。
【０００９】
５０１，５０３、５０５は、プログラム１であり、５０２、５０４は間に挿入されるコマーシャル部分である。同様に、５０７、５０９、５１１はプログラム２であり、５０８、５１０はコマーシャルである。
【００１０】
また、５０６および５１２は異なるプログラム間に挿入されるコマーシャルである。
【００１１】
一般的に、５０２や５０８などのようなプログラム中に放映されるコマーシャルは、番組提供スポンサーのものであり、プログラム間に放映される５０６、５１２は、特定の番組のスポンサーではないことが多い。
【００１２】
【発明が解決しようとする課題】
しかしながら、従来例では、ディジタル放送が普及し、チャンネルが増加することによって、各チャンネルごとの平均視聴率が下がってしまう。したがって、おもに無料放送に挿入されるコマーシャルにおいて、放送局側ではコマーシャル収入が減少する可能性があるという問題が提起されている。
【００１３】
本発明は上述の問題点に着目して成されたものであって、ユーザが自主的にサブスクライブすることによって、任意のチャンネルを視聴している際に、適宜コマーシャルを挿入することが可能になる。
【００１４】
したがって、放送局側では、よりコマーシャル収入を得ることが可能になる放送受信装置及びその制御方法を提供することを目的とする。
【００１５】
【課題を解決するための手段】
本発明は、上記課題を解決するために以下（１）〜（３）の構成を備えるものである。
【００１６】
（１）ディジタル放送を受信して、番組及びコマーシャルのビデオ・オーディオデータを出力する放送受信装置であって、ユーザの個人情報を管理するユーザ情報管理部と、前記コマーシャルが前記番組のスポンサーに関連するか否かを判定する番組情報監視部と、前記番組情報監視部により前記コマーシャルが前記番組のスポンサーに関連しないと判定された場合には、前記コマーシャルとは異なるコマーシャルを前記ユーザの個人情報にもとづいて選択し、前記番組と選択されたコマーシャルのビデオ・オーディオデータを出力する制御部とを有することを特徴とする放送受信装置。
（２）前記番組情報監視部により前記番組のスポンサーに関連しないと判定されたコマーシャルは、前記番組と異なる番組との間に放映されるコマーシャルであることを特徴とする前記（１）に記載の放送受信装置。
（３）ディジタル放送を受信して、番組及びコマーシャルのビデオ・オーディオデータを出力する放送受信装置の制御方法であって、ユーザの個人情報を管理するステップと、前記コマーシャルが前記番組のスポンサーに関連するか否かを判定するステップと、前記コマーシャルが前記番組のスポンサーに関連しない場合に、前記コマーシャルとは異なるコマーシャルを前記ユーザの個人情報にもとづいて選択し、前記番組と選択されたコマーシャルのビデオ・オーディオデータを出力するステップとを有することを特徴とする放送受信装置の制御方法。
【００２１】
【発明の実施の形態】
以下に本発明の実施の形態を、実施例に基づいて図面を参照しながら説明する。
【００２２】
【第１の実施例】
図１は、本発明の第１の実施例を示す図である。
【００２３】
１０１の放送波、１０２の受信機、１０３の復調機、１０４のデマルチプレクサ、１０５のビデオデコーダ、１０６のモニタ、１０７のオーディオデコーダ、１０８のスピーカ、１０９のチャンネル選択装置は、図４の４０１〜４０９のそれぞれと同等である。
【００２４】
１１１は、ユーザ情報管理部であり、各視聴者によって各種の再生制御を行う部分である。たとえば、チャンネルごとの閲覧可否の制御、プログラムごとの閲覧可否制御などである。１２０は、再生制御装置であり、ユーザ情報管理部１１１の指示にしたがってデマルチプレクサ１０４からの出力信号であるビデオ・オーディオストリームの制御を行う。具体的には、ビデオ・オーディオストリームは暗号化などで保護されている場合が多く、１１１のユーザ情報管理部の制御下において、暗号の解読などの処理を行う。
【００２５】
また、デマルチプレクサ１０４からは同時にユーザ管理情報が抽出され、ユーザ情報管理部１１１に送られる。このユーザ管理情報により、ユーザ情報管理部１１１を制御する。
【００２６】
ユーザ情報管理部１１１においては、ユーザの登録情報により、適宜コマーシャル放送のチャンネル切り替え操作を行う。この際、１１０の番組情報監視装置により、図５における、５０６、５１２、つまり、番組スポンサーとは無関係であるコマーシャルであるかどうかを判定し、もし無関係ならば、ユーザの登録情報により、コマーシャルチャンネルを切り替える作業を行う。このとき、ユーザ登録情報とは、ユーザの趣向・契約形態などを指す。
【００２７】
なお、コマーシャルの放送波自体は、他のチャネルのものでも、あるいは、独自のコマーシャルのみを放送するためのチャンネルでもかまわない。
【００２８】
【第２の実施例】
図２に、本発明の第２の実施例を示す。同図において、２０１〜２１１および２２０は、図１における１０１〜１１１および１２０とそれぞれ同等であるので、その詳細な説明は省略する。
【００２９】
図１と異なる点は、２１２にユーザ情報記憶媒体、および２１３にネットワーク接続装置を具備した点である。２１４はネットワークあるいはネットワークに接続するための回線である。ユーザ情報記憶媒体２１２では、ユーザの登録情報や、契約の有効期限などが記憶されている。具体的にはメモリカードなどが想定されるが、ここでは特に特定しない。
【００３０】
また、ユーザが実際にコマーシャルを閲覧したログ等を記憶し、必要に応じて放送局側にフィードバックする、あるいは視聴状況に応じて視聴者にプレミアムを与えることも可能である。
【００３１】
一方ネットワーク接続装置２１３およびネットワーク２１４を経由することによって、ユーザ情報をリアルタイムに登録、更新することも可能である。
【００３２】
【その他の実施例】
図３に、本発明の第３の実施例を示す。
【００３３】
同図において、３０１〜３１１および３２０は、図１における１０１〜１１１および１２０とそれぞれ同等とし、詳細な説明は省略する。ただし３０４はマルチプレクサを含むものである。
【００３４】
本実施例では、３１５に映像記憶装置を付加している。
【００３５】
具体的には、ビデオディスクなどが考えられるが、本実施例では特定はしない。
【００３６】
番組情報取得／監視装置３１０によってコマーシャルの置き換えが可能な場合には、本映像記憶装置３１５内に記憶された映像に切り替えられる。このため、３０４は、ビデオ・オーディオストリームをデマルチプレクスする以前に、放送波３０１か映像記憶装置３１５のどちらかを切り替えるためのマルチプレクサを内蔵することになる。
【００３７】
一方、ユーザ情報管理部３１１では、ユーザの登録情報や趣向などに合わせて適宜映像記憶装置３１５から所定の映像情報（前記コマーシャルなど）を選択する。
【００３８】
このようにすることによって、実際に放送されていないコマーシャルなども適宜挿入して再生可能になる。なお、必ずしも録画されるものはコマーシャルでなくともかまわないことはいうまでもない。
【００３９】
このビデオディスクは、定期的に視聴者に任意の方法をもって配布し、定期的に更新を行う。
【００４０】
また、このビデオディスクが録画可能なメディアの場合は、視聴者が特定のチャンネルを視聴していない時間帯において、ユーザ情報に応じた適当なるチャンネルのコマーシャルを録画して、必要に応じて再生することも可能である。
【００４１】
【発明の効果】
以上説明したように本発明によれば、放送チャンネルに関わり無く、特定のユーザごとに最適な特定のコマーシャルを放映することが可能になるため、より宣伝効果を高めることができる。
【図面の簡単な説明】
【図１】  本発明の放送受信装置の第１の実施例を記す図面
【図２】  本発明の放送受信装置の第２の実施例を示す図面
【図３】  本発明の放送受信装置の第３の実施例を示す図面
【図４】  従来例の放送受信装置を示す図面
【図５】  放送プログラムの一例
【符号の説明】
１０１  放送波
１０２  受信機
１０３  復調器
１０４  デマルチプレクサ
１０５  ビデオデコーダ
１０６  モニタ
１０７  オーディオデコーダ
１０８  再生中のオーディオ
１０９  チャンネル選択装置
１１０  番組情報監視装置
１１１  ユーザ情報管理部
１２０  再生制御装置
２０１  放送波
２０２  受信機
２０３  復調器
２０４  デマルチプレクサ
２０５  ビデオデコーダ
２０６  モニタ
２０７  オーディオデコーダ
２０８  再生中のオーディオ
２０９  チャンネル選択装置
２１０  番組情報監視装置
２１１  ユーザ情報管理部
２１２  ユーザ情報記憶媒体
２１３  ネットワーク接続装置
２１４  ネットワーク（ネットワーク網）
２２０  再生制御装置
３０１  放送波
３０２  受信機
３０３  復調器
３０４  デマルチプレクサ／マルチプレクサ
３０５  ビデオデコーダ
３０６  モニタ
３０７  オーディオデコーダ
３０８  再生中のオーディオ
３０９  チャンネル選択装置
３１０  番組情報取得／監視装置
３１１  ユーザ情報管理部
３１２  ユーザ情報記憶媒体
３１３  ネットワーク接続装置
３１４  ネットワーク網
３１５  映像記憶装置
３２０  再生制御装置
４０１  放送波
４０２  受信機
４０３  復調器
４０４  デマルチプレクサ
４０５  ビデオデコーダ
４０６  モニタ
４０７  オーディオデコーダ
４０８  再生中のオーディオ
４０９  チャンネル選択装置
５０１，５０３，５０５  プログラム１のビットストリーム
５０７，５０９，５１１  プログラム２のビットストリーム
５０２，５０４，５０６  プログラム１中に放映されるコマーシャル
５０８，５１０，５１２  プログラム２中に放映されるコマーシャル
５０６，５１２  プログラム間に放映されるコマーシャル
【図１】
0004124997.tif 000002
【図２】
0004124997.tif 000003
【図３】
0004124997.tif 000004
【図４】
0004124997.tif 000005
【図５】
0004124997.tif 000006